(57)【特許請求の範囲】
【請求項１】
コンクリート構造物の壁厚方向に沿って埋設され断面欠損を生じさせてクラックを誘発するクラック誘発目地材であって、
前記コンクリート構造物の壁内補強鉄筋の内部側に配置されて一端部が補強鉄筋に支持固定されるとともに、他端部に接続部が設けられる基盤部材と、この基盤部材の前記接続部に接続される接続部を備えて継ぎ足し接続される接続部材とで構成され、これら基盤部材および接続部材には、コンクリートと密着させて止水する止水部材が設けられて構成されていることを特徴とするクラック誘発目地材。
【請求項２】
前記接続部が、継ぎ足し用凹部と継ぎ足し用凸部とで構成され、スライドして接続可能に構成してあることを特徴とする請求項１記載のクラック誘発目地材。
【請求項３】
前記接続部材には、一端部の接続部に加えて他端部に接続部を形成して構成し、複数の接続部材を継ぎ足し接続可能に構成したことを特徴とする請求項１または２記載のクラック誘発目地材。
【請求項４】
前記基盤部材を、コンクリート壁面に沿う壁面平行基盤部と、この壁面平行基盤部から壁厚方向に突き出した突出基盤部とで略Ｔ字状に構成したことを特徴とする請求項１〜３のいずれかに記載のクラック誘発目地材。
【発明の詳細な説明】
【技術分野】
【０００１】
この発明はクラック誘発目地材に関し、コンクリート構造物の予め定めた場所にクラックを誘発することで他の部分でのクラックの発生を抑制するようにしたもので、特に、コンクリート構造物の壁厚さが厚くなっても簡単に対応できるようにユニット化したものである。
【背景技術】
【０００２】
土木および建築におけるコンクリート構造物の場合には、セメントの水和熱や外気温による温度変化および乾燥収縮などの要因により変形が生じることがあり、このような変形が拘束されると、クラックが発生する。このクラックが任意の多数の箇所に発生すると、美観を損ねたり、水分の浸入による補強鉄筋の腐食などの問題が生じる。
そこで、予め定めた場所にクラックを集中させる目的でコンクリート構造物に所定の間隔で断面欠損部を設けておき、クラックを人為的に生じさせるクラック誘発目地部を設けている。
このクラック誘発目地部には、断面を欠損させるため介在物が埋め込まれ、例えば、塩ビパイプ、プレキャストコンクリート、あるいは鉄板などがコンクリート構造物に埋め込まれるほか、予め成形したクラック誘発目地材が種々提案されて採用されている。
【０００３】
例えば特許文献1のクラック誘発目地材では、縦長の鉄板を芯材としてその両側に柔軟なブチルゴムなどを縦角棒状に形成して取り付けた止水性調整欠損材を、型枠に取り付けた目地材本体のコンクリート壁となる内側に対向して設けるようにしている。
【０００４】
また、特許文献２のクラック誘発目地本体は、横断面形状が平坦部と平坦部の反対側に行くにつれて先細りとなる先細り部とからなり、平坦部に平坦面側が開口するＴ字形のねじ溝が設けられ、先細り部の先端に開口溝が設けられ、開口溝がコンクリートが透過しないシートで覆われるとともに、それ以外が被覆層で覆われて構成されており、型枠に取り付けたねじ頭部をねじ溝に入れることで型枠に固定し、対向させて用いるようにしている。
【先行技術文献】
【特許文献】
【０００５】
【特許文献１】特開２００２−１６１５４４号公報
【特許文献２】特開２０１０−１６４４号公報
【発明の概要】
【発明が解決しようとする課題】
【０００６】
ところが、これまでのクラック誘発目地材では、コンクリート壁厚方向の高さが一定であり、コンクリート構造物が大型化し、コンクリート壁厚さが厚くなると、クラックを誘発するのに必要な断面欠損率を高く（３７．５％以上に）設定することができないという問題がある。
そこで、壁厚さ方向の高さを増大したものを用意すれば良いが、樹脂成形品では新たな製造設備が必要になるなどの問題があるとともに、壁厚さに対応したものを多数用意しようとすると、品種が増大し、保管場所や在庫管理の問題が生じる。
また、既存のクラック誘発目地材に汎用の塩ビパイプなどを隣接させて設置することも考えれるが、既存のクラック誘発目地材に比較して重量が重く取り扱いがし難く、施工性も悪いという問題がある。
【０００７】
この発明は、上記従来技術の問題点に鑑みてなされたもので、コンクリート構造物の壁厚さに対応して必要な断面欠損率を確保することができ、製造上や保管上の問題が生じることもないクラック誘発目地材を提供しようとするものである。
【課題を解決するための手段】
【０００８】
上記従来技術の課題を解決するこの発明の請求項１記載のクラック誘発目地材は、コンクリート構造物の壁厚方向に沿って埋設され断面欠損を生じさせてクラックを誘発するクラック誘発目地材であって、前記コンクリート構造物の壁内補強鉄筋の内部側に配置されて一端部が補強鉄筋に支持固定されるとともに、他端部に接続部が設けられる基盤部材と、この基盤部材の前記接続部に接続される接続部を備えて継ぎ足し接続される接続部材とで構成され、これら基盤部材および接続部材には、コンクリートと密着させて止水する止水部材が設けられて構成されていることを特徴とするものである。
【０００９】
この発明の請求項２記載のクラック誘発目地材は、請求項１記載の構成に加え、前記接続部が、継ぎ足し用凹部と継ぎ足し用凸部とで構成され、スライドして接続可能に構成してあることを特徴とするものである。
【００１０】
この発明の請求項３記載のクラック誘発目地材は、請求項１または２記載の構成に加え、前記接続部材には、一端部の接続部に加えて他端部に接続部を形成して構成し、複数の接続部材を継ぎ足し接続可能に構成したことを特徴とするものである。
【００１１】
この発明の請求項４記載のクラック誘発目地材は、請求項１〜３のいずれかに記載の構成に加え、前記基盤部材を、コンクリート壁面に沿う壁面平行基盤部と、この壁面平行基盤部から壁厚方向に突き出した突出基盤部とで略Ｔ字状に構成したことを特徴とするものである。
【発明の効果】
【００１２】
この発明の請求項１記載のクラック誘発目地材によれば、コンクリート構造物の壁厚方向に沿って埋設され断面欠損を生じさせてクラックを誘発するクラック誘発目地材であって、前記コンクリート構造物の壁内補強鉄筋の内部側に配置されて一端部が補強鉄筋に支持固定されるとともに、他端部に接続部が設けられる基盤部材と、この基盤部材の前記接続部に接続される接続部を備えて継ぎ足し接続される接続部材とで構成され、これら基盤部材および接続部材には、コンクリートと密着させて止水する止水部材が設けられて構成されているので、基盤部材の接続部に接続部材の接続部を接続することで、継ぎ足すことができ、基盤部材と接続部材との組合せを変えることで、少ない品種でコンクリート構造物の壁厚さに対応した断面欠損率の確保が容易にできる。また、止水部材によりクラックが誘発されてもコンクリートとの密着性により止水することができ、浸水による補強鉄筋の腐食などを防止することができる。
これにより、コンクリート構造物の壁厚さに対応して必要な断面欠損率を確保することができ、新たな設備を必要とする製造上の問題や品種の増大などによる保管上の問題を回避することができ、ユニット化することができる。
【００１３】
この発明の請求項２記載のクラック誘発目地材によれば、前記接続部が、継ぎ足し用凹部と継ぎ足し用凸部とで構成され、スライドして接続可能に構成してあるので、接続部を継ぎ足し用凹凸部でスライドさせて接続することで、簡単に継ぎ足すことができ、しかも確実に接続することができる。
【００１４】
この発明の請求項３記載のクラック誘発目地材によれば、前記接続部材には、一端部の接続部に加えて他端部に接続部を形成して構成し、複数の接続部材を継ぎ足し接続可能に構成したので、接続部材同士を複数接続して継ぎ足すことができ、コンクリート壁の厚さの変化への対応性を一層向上することができ、接続部材の品種を少なくし、使用数量を変えて対応するユニット化ができる。
【００１５】
この発明の請求項４記載のクラック誘発目地材によれば、前記基盤部材を、コンクリート壁面に沿う壁面平行基盤部と、この壁面平行基盤部から壁厚方向に突き出した突出基盤部とで略Ｔ字状に構成したので、壁面平行基盤部で補強鉄筋などに簡単に支持固定することができるとともに、突出基盤部で断面欠損率を確保することができる。
【図面の簡単な説明】
【００１６】
【図１】この発明のクラック誘発目地材の一実施の形態にかかるクラック誘発目地部の概略斜視図である。
【図２】この発明のクラック誘発目地材の一実施の形態にかかるクラック誘発目地部の概略平面図である。
【図３】この発明のクラック誘発目地材の一実施の形態にかかる基盤部材の平面図である。
【図４】この発明のクラック誘発目地材の一実施の形態にかかる接続部材の平面図である。
【図５】この発明のクラック誘発目地材の一実施の形態にかかり、異なる壁厚さに対応する継ぎ足し接続状態の平面図である。
【図６】この発明のクラック誘発目地材の他の一実施の形態にかかり、異なる接続部を備えた継ぎ足し接続状態の平面図、接続部材の平面図および基盤部材の平面図である。
【発明を実施するための形態】
【００１７】
以下、この発明を実施するための形態について図面を参照して詳細に説明する。
この発明のクラック誘発目地材１０は、コンクリート構造物においてクラックを人為的に生じさせる場所となるクラック誘発目地部Ａに設けることで、このＡ部分でのコンクリート構造物の壁厚さ方向の断面欠損率をクラックの誘発に必要な３７．５％以上に設定するためのものである。
【００１８】
このクラック誘発目地部Ａには、例えば壁厚さ方向の両端部にコンクリートパネル１，１が壁厚さの間隔で配置され、その内側に鉛直方向の主筋２および水平方向の配力筋３による補強鉄筋４が設けられており、コンクリートパネル１の内側には、化粧目地材５が取り付けられている。そして、クラックを誘発するためコンクリートパネル１の化粧目地材５と補強鉄筋４との間に略Ω型のクラック誘発目地材６が設けられ、このクラック誘発目地材６と補強鉄筋４を挟むコンクリート壁となる内側にこの発明のクラック誘発目地材１０，１０Ａが配置され、これらクラック誘発目地材１０，１０Ａの壁厚方向の高さｄ１＋ｄ２（およびクラック誘発目地材６の高さ２・ｄ+化粧目地材５の高さ２・ｄ３）が全壁厚Ｄに対してクラックを誘発できる欠損率となるように設定される。
なお、クラック誘発目地材１０，１０Ａにおける高さとは、コンクリート構造物の壁厚方向の寸法であり、図１，２に示したｄ１，ｄ２、ｄ３をいう。
【００１９】
クラック誘発目地材１０，１０Ａは、補強鉄筋４に支持固定される壁厚方向外側の基盤部材１１と、この基盤部材１１と継ぎ足し接続される接続部材１２とで構成され、これら基盤部材１１と接続部材１２には、互いを接続する接続部１３が設けられて継ぎ足し接続できるようにしてある。
このクラック誘発目地材１０では、基盤部材１１として高さが異なるものを２種類（１１，１１Ａ）と、接続部材１２として高さが異なるものを３種類（１２，１２Ａ，１２Ｂ）用意し、基盤部材１１を単独で用いるほか、これら２種類の基盤部材１１，１１Ａと３種類の接続部材１２，１２Ａ、１２Ｂとを接続部１３で任意の組み合わせ（種類および接続数量）で継ぎ足すことで、継ぎ足し接続されたクラック誘発目地材１０としての高さｄ１を変えることができるようにしている。
【００２０】
基盤部材１１は、壁面平行基盤部１４と、この壁面平行基盤部１４の中央から垂直に突き出した突出基盤部１５とでＴ字状に構成され、壁面平行基盤部１４の中央部の外側および突出基盤部１５の中間部両側には、凸条部１６が設けられる一方、壁面平行基盤部１４の両端部には、補強鉄筋４への固定のための結束線用の取付け穴１７が形成してあり、例えばＡＢＳ樹脂で一体成形される。そして、基盤部材１１の突出基盤部１５の端部に接続部１３を構成する略２等辺三角状の継ぎ足し用凸部１３ａが一体に形成してある。
【００２１】
また、基盤部材１１の突出基盤部１５の両側には、誘発されたクラックによる浸水などを防止するためブチルゴムなどの柔軟性がありコンクリートとの密着性が良い止水部材１８が設けてあり、施工前には剥離紙が取り付けてある。
【００２２】
また、基盤部材１１Ａでは、突出基盤部１５の高さが高くしてあり、中間部に中間壁面平行部１４ａが一体に設けてある。
なお、他の構成は基盤部材１１と同一であり、同一部分に同一記号を記し説明は省略する。
【００２３】
次に、接続部材１２は、平板状の接続部本体１２ａを備え、一端部に接続部１３を構成する継ぎ足し用凹部１３ｂが設けられ、一端側が開口した２等辺三角形状の凹部を取り囲むように形成され、開口部両側にフランジ状の平行突出部が形成されて中間壁面平行部１４ａと兼用できるようにしてあり、他端部には、接続部１３を構成する継ぎ足し用凸部１３ａが設けてある。そして、接続部本体１２ａの中間部両側には、凸条部１６が設けられており、このような接続部材１２が、例えばＡＢＳ樹脂などの合成樹脂で一体成形してある。
【００２４】
接続部材１２Ａ，１２Ｂでは、接続部本体１２ａの高さが変えてあるとともに、接続部材１２の接続部本体１２ａの中間部の両側に、誘発されたクラックによる浸水などを防止するためブチルゴムなどの柔軟性がありコンクリートとの密着性が良い止水部材１８が設けてあり、施工前には剥離紙が取り付けてある。なお、他の構成は接続部材１２と同一であり、同一部分に同一記号を記し説明は省略する。
【００２５】
このような基盤部材１１と接続部材１２とを組み合わせるクラック誘発目地材１０は、図１，２，５（ａ）に示すように、基盤部材１１Ａと接続部材１２Ａとを接続部１３の継ぎ足し用凸部１３ａと継ぎ足し用凹部１３ｂとを接続したものであり、基盤部材１１Ａの継ぎ足し用凸部１３ａを接続部材１２Ａの継ぎ足し用凹部１３ｂにスライドさせて連結することが互いが継ぎ足され、壁厚さ方向には外れないように接続することができる。
【００２６】
このようなクラック誘発目地材１０によれば、基盤部材１１Ａを単独で使用する場合に比べて接続部材１２Ａの高さ分だけ壁厚方向の高さを増大することが簡単にでき、保管も基盤部材１１Ａと接続部材１２Ａを分離した状態で行えば良く、保管スペースの確保も容易となる。
また、クラック誘発目地材１０Ｂでは、クラック誘発目地材１０よりも高さを増大したものであり、接続部材１２Ｂを継ぎ足して構成してある。すなわち、このクラック誘発目地材１０Ｂでは、基盤部材１１Ａと、接続部材１２Ａ，１２Ｂと継ぎ足し足して構成され、接続部材１２Ａの継ぎ足し用凸部１３ａと接続部材１２Ｂの継ぎ足し用凹部１３ｂとをスライドさせて連結することで継ぎ足され、壁厚さ方向には外れないように接続してある。
このようなクラック誘発目地材１０Ｂによれば、基盤部材１１Ａを単独で使用する場合に比べて接続部材１２Ａ、１２Ｂの高さ分だけ壁厚方向の高さを増大することが簡単にでき、保管も基盤部材１１Ａと接続部材１２Ａ、１２Ｂをそれぞれ分離した状態で行えば良く、保管スペースの確保も容易となる。
【００２７】
なお、ここでは、２つの実施形態を例に説明したが、こられの例に限らず、クラック誘発目地材としては、基盤部材と接続部材の組み合わせ（種類および接続数量）を任意に選択することで、壁厚方向の高さを変えることができ、コンクリート構造物の壁厚に応じてクラックを誘発できる断面欠損率を容易に確保することができる。
【００２８】
次に、接続部の形状を変えたクラック誘発目地材２０について、図６により説明する。なお、既に説明したクラック誘発目地材１０，１０Ａ、１０Ｂと同一部分には、同一記号を記し、重複する説明は省略する。
このクラック誘発目地材２０は、基盤部材２１およびこれに接続される接続部材２２で構成され、これら基盤部材２１と接続部材２２は、接続部２３で継ぎ足し接続される。この接続部２３は、継ぎ足し用凸部２３ａと、継ぎ足し用凹部２３ｂとで構成され、スライドさせることで接続できるようにしてあり、継ぎ足し用凸部２３ａは両側の半円を平面で連結する略楕円形状とされ、継ぎ足し用凹部２３ｂは、この略楕円形状の外側を囲むことができる略楕円状の凹部で構成され、凹部の一端に、基盤部材１１や接続部材１２の厚さに対応する開口部が形成してあり、スライドさせて接続し、継ぎ足すことができるようにしてある。
なお、他の構成は、既に説明したクラック誘発目地材と同一である。
【００２９】
また、この接続部２３を備える基盤部材２１や接続部材２２についても、図６では、１例を示したものに過ぎず、壁厚方向の高さの異なるものを用意し、これらを任意に組み合わせることで、高さを変えて断面欠損率を調整できるようにすることは言うまでもない。
【００３０】
以上説明したように、この発明のクラック誘発目地材によれば、基盤部材１１の接続部１３に接続部材１２の被接続部を接続することで、継ぎ足すことができ、基盤部材１１と接続部材１２との組合せを変えることで、少ない品種でコンクリート構造物の壁厚さに対応した断面欠損率の確保が容易にできる。また、止水部材１８によりクラックが誘発されてもコンクリートとの密着性により止水することができ、浸水による補強鉄筋４の腐食などを防止することができる。
これにより、コンクリート構造物の壁厚さに対応して必要な断面欠損率を確保することができ、新たな設備を必要とする製造上の問題や品種の増大などによる保管上の問題を回避することができる。
また、接続部１３を継ぎ足し用凹凸部１３ａ，１３ｂでスライドさせて接続することで、簡単に継ぎ足すことができ、しかも確実に接続することができる。
さらに、接続部材１２，１２同士を複数接続して継ぎ足すことができ、コンクリート壁の厚さの変化への対応性を一層向上することができ、接続部材１２の品種を少なくし、使用数量を変えて対応するユニット化ができる。
また、壁面平行基盤部１４で補強鉄筋４などに簡単に支持固定することができるとともに、突出基盤部１５で断面欠損率を確保することができる。
【００３１】
なお、クラック誘発目地材は、接続部で継ぎ足す際、抜け出し防止用に接着剤を塗布した後、スライドさせて接続するようにしても良く、接着剤が硬化した後は一層強固に継ぎ足し接続することができる。
【符号の説明】
【００３２】
１                            コンクリート打設用型枠
２                            補強鉄筋（主筋）
３                            補強鉄筋（配力筋）
４                            補強鉄筋
５                            化粧目地材
６                            誘発目地材（補強鉄筋の外側用）
１０，１０Ａ,１０Ｂ、２０    クラック誘発目地材
１１，１１Ａ、２１            基盤部材
１２，１２Ａ，１２Ｂ，２２    接続部材
１２ａ                        接続部本体
１３，２３                    接続部
１３ａ，２３ａ                継ぎ足し用凸部
１３ｂ，２３ｂ                継ぎ足し用凹部
１４                          壁面平行基盤部
１４ａ                        中間壁面平行部
１５                          突出基盤部
１６                          突状部
１７                          取付け穴
１８                          止水部材
Ａ                            クラック誘発目地部
【図１】
0005691050.tif 000002
【図２】
0005691050.tif 000003
【図３】
0005691050.tif 000004
【図４】
0005691050.tif 000005
【図５】
0005691050.tif 000006
【図６】
0005691050.tif 000007